(57)【要約】      （修正有）【課題】右天地３６０度全方向、望み通りの方向でポップ用紙を掲出することが可能なマルチポップホルダーを提供する。【解決手段】ポップ用紙６が取り付けられて当該ポップ用紙を掲出するマルチポップホルダー１は、長手方向に伸びる平板からなる。当該平板は、長手方向に直交する方向で長手方向における複数の所定の箇所に形成されている複数本の折曲線部３ａ、３ｂ、３ｆ、３ｇにおいて平板の一方側の面からこれに対向する他方側の面の方向に向かって、あるいは、平板の他方側の面からこれに対向する一方側の面の方向に向かって任意に折り曲げ可能である。また、隣接する折曲線部同士の間における少なくとも一か所の隣接する折曲線部同士の間、又は、平板の長手方向における端縁である少なくとも一方の長手方向端縁と当該長手方向端縁に隣接する折曲線部との間、あるいは、これらの双方に、平板の一方側の面とこれに対向する他方側の面との間を貫通する孔４ａを備えている。【選択図】図３
0003202585.tif 000002
【実用新案登録請求の範囲】
【請求項１】
ポップ用紙が取り付けられて当該ポップ用紙を掲出するポップホルダーであって、
長手方向に伸びる平板からなり、
当該平板は、
前記長手方向に直交する方向で前記長手方向における複数の所定の箇所に形成されている複数本の折曲線部において前記平板の一方側の面からこれに対向する他方側の面の方向に向かって、あるいは、前記平板の他方側の面からこれに対向する一方側の面の方向に向かって任意に折り曲げ可能であると共に、
隣接する前記折曲線部同士の間における少なくとも一か所の隣接する前記折曲線部同士の間、又は、前記平板の長手方向における端縁である少なくとも一方の長手方向端縁と当該長手方向端縁に隣接する前記折曲線部との間、あるいは、これらの双方に、前記平板の前記一方側の面とこれに対向する前記他方側の面との間を貫通する孔を備えている
マルチポップホルダー。
【請求項２】
前記平板の長手方向の一方の側における長手方向端縁と当該長手方向端縁に隣接する前記折曲線部との間及び、長手方向の他方の側における長手方向端縁と当該長手方向端縁に隣接する前記折曲線部との間との双方に前記孔が配備されている請求項１記載のマルチポップホルダー。
【請求項３】
前記孔が配備されている前記平板の前記一方側の面又は前記他方側の面に粘着テープを貼りつけることにより、前記孔を介して前記平板の前記他方側の面又は前記一方側の面に露出する前記粘着テープの粘着面にポップ用紙の背面側を貼りつけ、前記マルチポップホルダーで前記ポップ用紙を掲出する
請求項１又は２記載のマルチポップホルダー。
【考案の詳細な説明】
【技術分野】
【０００１】
この考案は、書籍、雑誌、等を販売する店舗などにおいて、販売、陳列、等されている書籍、雑誌、等の商品を、宣伝、広告、紹介、等するポップ用紙を掲出する支持体であるポップホルダーに関する。
【背景技術】
【０００２】
従来から、ポップホルダーとして種々の提案がされている。
【０００３】
例えば、ブックショップ等各種の店舗で値札等を立てて表示するための表示用スタンドとして当該値札等の札の表示形態に著しく多様性を持たせることを目的とした表示用スタンドが提案されている（特許文献１）。
【０００４】
また、一種類のスタンドで極めて多種類の表示形態を任意に設定することができ、表示するカードによる商品の訴求性を高めるとともに、展示のための低コスト化及び合理化を図ることを目的とした表示用スタンドが提案されている（特許文献２）。
【先行技術文献】
【特許文献】
【０００５】
【特許文献１】実用新案登録第３１３０９３７号公報
【特許文献２】実用新案登録第３１４６１９７号公報
【考案の概要】
【考案が解決しようとする課題】
【０００６】
この考案は、左右天地３６０度全方向、望み通りの方向でポップ用紙を掲出することが可能なポップホルダーを提案することを目的にしている。
【課題を解決するための手段】
【０００７】
［１］
ポップ用紙が取り付けられて当該ポップ用紙を掲出するポップホルダーであって、
長手方向に伸びる平板からなり、
当該平板は、
前記長手方向に直交する方向で前記長手方向における複数の所定の箇所に形成されている複数本の折曲線部において前記平板の一方側の面からこれに対向する他方側の面の方向に向かって、あるいは、前記平板の他方側の面からこれに対向する一方側の面の方向に向かって任意に折り曲げ可能であると共に、
隣接する前記折曲線部同士の間における少なくとも一か所の隣接する前記折曲線部同士の間、又は、前記平板の長手方向における端縁である少なくとも一方の長手方向端縁と当該長手方向端縁に隣接する前記折曲線部との間、あるいは、これらの双方に、前記平板の前記一方側の面とこれに対向する前記他方側の面との間を貫通する孔を備えている
マルチポップホルダー。
【０００８】
［２］
前記平板の長手方向の一方の側における長手方向端縁と当該長手方向端縁に隣接する前記折曲線部との間及び、長手方向の他方の側における長手方向端縁と当該長手方向端縁に隣接する前記折曲線部との間との双方に前記孔が配備されている［１］のマルチポップホルダー。
【０００９】
［３］
前記孔が配備されている前記平板の前記一方側の面又は前記他方側の面に粘着テープを貼りつけることにより、前記孔を介して前記平板の前記他方側の面又は前記一方側の面に露出する前記粘着テープの粘着面にポップ用紙の背面側を貼りつけ、前記マルチポップホルダーで前記ポップ用紙を掲出する
［１］又は［２］のマルチポップホルダー。
【考案の効果】
【００１０】
この考案によれば、左右天地３６０度全方向、望み通りの方向でポップ用紙を掲出することが可能なマルチポップホルダーを提供することができる。
【図面の簡単な説明】
【００１１】
【図１】本考案のマルチポップホルダーの一実施形態における当該マルチポップホルダーを形成する平板が折曲線部で折り曲げられていない状態であるときを当該平板の一方側の面に向かって見た状態を表す図。
【図２】本考案のマルチポップホルダーにポップ用紙が取り付けられる状態を説明する一部を省略した図であって、（ａ）はマルチポップホルダーを構成する平板の孔が形成されている箇所に粘着テープが貼りつけられた状態、（ｂ）は（ａ）の状態に引き続いて孔を介して露出している粘着テープの粘着面にポップ用紙の背面側が貼りつけられた状態を説明する図。
【図３】本考案のマルチポップホルダーの使用例を表す概略構成図であって、（ａ）平積みされている書籍に本考案のマルチポップホルダーが使用される一例を表す図、（ｂ）、（ｃ）は平積みされている書籍に本考案のマルチポップホルダーが使用される場合におけるポップ用紙支持形態の一例を表す図。
【図４】平積みされている書籍に本考案のマルチポップホルダーが使用される他の例を表す図。
【図５】縦置きされている書籍に本考案のマルチポップホルダーが使用される場合におけるポップ用紙支持形態の一例を表す図。
【図６】縦置きされている書籍に本考案のマルチポップホルダーが使用される場合におけるポップ用紙支持形態の他の例を表す図。
【図７】平積みされている書籍に本考案のマルチポップホルダーが使用される更に他の例を表す図。
【図８】本考案のマルチポップホルダーの他の使用例を表す図。
【図９】本考案のマルチポップホルダーの他の使用例を表す図。
【図１０】本考案のマルチポップホルダーの他の使用例を表す図。
【図１１】本考案のマルチポップホルダーの他の使用例を表す図。
【考案を実施するための形態】
【００１２】
図１は本考案のマルチポップホルダーの一実施形態における、当該マルチポップホルダーを形成する平板が折曲線部で折り曲げられていない状態であるときを、当該平板の一方側の面２ｃに向かって見た状態を表すものである。
【００１３】
本考案のマルチポップホルダー１は、図１図示のように長手方向（図１における上下方向）に伸びる平板２からなる。
【００１４】
平板２は、長手方向（図１における上下方向）に直交する方向（図１における左右方向）で前記長手方向における複数の所定の箇所に形成されている複数本の折曲線部３ａ、３ｂ、３ｃ、３ｄ、３ｅ、３ｆ、３ｇを備えている。以下において、折曲線部３ａ、３ｂ、３ｃ、３ｄ、３ｅ、３ｆ、３ｇを総称して折曲線部３と表すことがある。
【００１５】
図１図示の実施形態では、平板２は、長手方向（図１における上下方向）の長さを３１０ｍｍとし、図示した所定の間隔（ｍｍ）で、７本の折曲線部３ａ、３ｂ、３ｃ、３ｄ、３ｅ、３ｆ、３ｇが形成されている構造になっている。
【００１６】
平板２は、折曲線部３ａ、３ｂ、３ｃ、３ｄ、３ｅ、３ｆ、３ｇにおいて任意に折り曲げ可能である。すなわち、平板２は、折曲線部３ａ、３ｂ、３ｃ、３ｄ、３ｅ、３ｆ、３ｇにおいて、平板２の一方側の面２ｃからこれに対向する他方側の面２ｄの方向に向かって、あるいは、平板２の他方側の面２ｄからこれに対向する一方側の面２ｃの方向に向かって、任意に折り曲げ可能である。
【００１７】
長手方向（図１における上下方向）に伸びる平板２は、長手方向に直交する方向（図１における左右方向）で形成されている折曲線部３において任意に折り曲げ可能で、なおかつ、ポップ用紙を支持できるものであればよい。そこで、この条件を満たす種々の材質のものとすることができる。例えば、ＰＥＴ樹脂製、等の合成樹脂製にすることができる。
【００１８】
平板２は、平板２の一方側の面２ｃとこれに対向する他方側の面２ｄとの間を貫通する孔４ａ、４ｂ、４ｃ、４ｄ、４ｆを備えている。以下、孔４ａ、４ｂ、４ｃ、４ｄ、４ｆを総称して孔４と表すことがある。
【００１９】
図１の実施形態では、平板２の長手方向の一方の側における長手方向端縁２ａと当該長手方向端縁２ａに隣接する折曲線部３ａとの間及び、長手方向の他方の側における長手方向端縁２ｂと当該長手方向端縁２ｂに隣接する折曲線部３ｇとの間との双方に孔４ａ、４ｆがそれぞれ形成されている。
【００２０】
これに替えて、孔４ａ、４ｆのどちらか一方のみが形成されている構造にすることもできる。
【００２１】
また、図１図示の実施形態では、隣接する折曲線部３ｂ、３ｃの間、隣接する折曲線部３ｃ、３ｄの間、隣接する折曲線部３ｄ、３ｅの間、隣接する折曲線部３ｅ、３ｆの間にそれぞれ孔４ｂ、４ｃ、４ｄ、４ｅが形成されている。
【００２２】
図１図示の実施形態では、隣接する折曲線部３ａ、３ｂの間、隣接する折曲線部３ｆ、３ｇの間には孔が形成されていないが、これらの箇所にも孔を形成することができる。
【００２３】
図１図示の実施形態では、平板２の長手方向の一方の側における長手方向端縁２ａと当該長手方向端縁２ａに隣接する折曲線部３ａとの間及び、長手方向の他方の側における長手方向端縁２ｂと当該長手方向端縁２ｂに隣接する折曲線部３ｇとの間との双方に孔４ａ、４ｆをそれぞれ形成し、その上で、上述したように隣接する折曲線部同士の間にも孔４ｂ、４ｃ、４ｄ、４ｅが形成されている構造にしている。これに替えて、両端側における孔４ａ、４ｆの何れか一方のみ、あるいは、隣接する折曲線部同士の間における孔４ｂ、４ｃ、４ｄ、４ｅのみを形成する構造にすることもできる。
【００２４】
また、隣接する折曲線部同士の間に形成される孔は、いずれか一か所における隣接する折曲線部同士の間にのみ形成されている構造にすることもできる。
【００２５】
図１図示の実施形態では、上述したように、平板２は、長手方向（図１における上下方向）の長さを３１０ｍｍとし、図示した所定の間隔で７本の折曲線部３が形成され、図示した径の大きさの孔４が形成されるものになっている。平板２の長手方向の長さ、隣接する折曲線部３同士の間の間隔、形成される折曲線部３の数、形成される孔４の径の大きさは図１に図示したサイズに限られず、種々に変更可能である。
【００２６】
この実施形態のマルチポップホルダー１は次のようにして使用される。
【００２７】
図２（ａ）図示のように、孔４ａが配備されている平板２の他方側の面２ｄに粘着テープ５を貼りつける。
【００２８】
これによって、平板２の他方側の面２ｄに対向する平板２の一方側の面２ｃに孔４ａを介して粘着テープ５の粘着面が露出する。
【００２９】
そこで、孔４ａを介して露出した粘着テープ５の粘着面にポップ用紙６の背面側６ｂを貼りつける（図２（ｂ））。
【００３０】
こうして、マルチポップホルダー１でポップ用紙６を掲出することができる。
【００３１】
図３（ａ）は店舗の陳列されている書籍７に本考案のマルチポップホルダー１が使用される一実施形態を説明するものである。
【００３２】
図１に例示したマルチポップホルダー１を形成する平板２を折曲線部３ｆで折り曲げて、平板２の長手方向端縁２ｂ側を書籍７の下に差し込んでマルチポップホルダー１を垂直に立たせ、折曲線部３ａで折り曲げ、孔４ａを用いて、図２で説明したように粘着テープ５によりポップ用紙６を支持している。
【００３３】
このように本考案のマルチポップホルダー１によれば、平板２の一方側の面２ｃとこれに対向する他方側の面２ｄとの間を貫通する孔４を利用し、孔４が配備されている平板２の一方側の面２ｃ又は他方側の面２ｄに粘着テープ５を貼りつけることにより孔４を介して平板２の他方側の面２ｄ又は一方側の面２ｃに露出する粘着テープ５の粘着面にポップ用紙６の背面側６ｂを貼りつけてポップ用紙６を掲出することができる。
【００３４】
そこで、ポップ用紙６の向きによる限定を受けることがなく、使用方法にも制限を受けない。
【００３５】
従来のポップホルダーでは、ホルダー、等の支持体の先端側にクリップや溝を配置する、等してポップ用紙を支持していた。このため、ポップ用紙の向きによる限定を受け、使用方法にも制限を受けていたが、本考案のマルチポップホルダーはこれらの問題点を解決できるものである。
【００３６】
図３（ｂ）、（ｃ）は、図３（ａ）図示のように陳列、展示される雑誌、書籍７のポップホルダー、ポップスタンドとして、本考案のマルチポップホルダー１が使用される他の実施形態を表すものである。
【００３７】
１個のマルチポップホルダー１であっても、平板２の折り曲げ位置、折り曲げる方向（折曲線部において平板２の一方側の面２ｃからこれに対向する他方側の面２ｄの方向に向かって折り曲げるか、あるいは、平板２の他方側の面２ｄからこれに対向する一方側の面２ｃの方向に向かって折り曲げるか）を任意に変更することにより、ポップ用紙６を掲出する実施態様を任意に変更することが可能である。
【００３８】
図４〜図１１は、同じく、本考案のマルチポップホルダー１が使用される他の実施形態を表すものである。平板２の折り曲げ位置、折り曲げる方向を任意に変更することにより、１個のマルチポップホルダー１であっても、ポップ用紙６を掲出する実施態様を任意に変更することが可能である。
【００３９】
このように、本考案のマルチポップホルダー１は、平板２に形成されている孔４に粘着テープ５を貼ることで、孔４を介して粘着テープ５の粘着面を平板２の反対側の面に露出させ、そこに、ポップ用紙６の背面側６ｂを貼りつける構造である。そこで、左右天地３６０度全方向望み通りの方向でポップ用紙６を掲出することが可能になる。
【００４０】
従来のポップホルダー、ポップスタンドでは主に先端箇所にあるクリップや溝などでポップ用紙を固定していたので、ポップ用紙の向きや、使用方法が限定されていた。
【００４１】
しかし、本考案のマルチポップホルダー１では、平板２に形成されている複数の孔４のそれぞれを利用して上述したようにポップ用紙６を固定、支持できるので、ポップ用紙の向きや、使用方法に制限を受けない。すなわち、表裏や、天地左右などの方向性に制約を受けない。
【００４２】
また、複数の折曲線３の任意の箇所で、任意の方向に折り曲げることにより、図３〜図１１に示したように、１個のマルチポップホルダー１であっても、種々の形態でポップの掲出が可能になる。
【００４３】
従来のポップホルダー、ポップスタンドのように、先端箇所にあるクリップや溝などでポップ用紙を固定する場合、ポップ用紙を「挟む、差し込む」等の手法で固定することになっていた。このため、ポップ用紙の材質、厚みなどに制約を受けることになっていた。
【００４４】
しかし、本考案のマルチポップホルダー１では、平板２に形成されている孔４を利用して上述したようにポップ用紙６を固定、支持でき、更に、隣接する折曲線部の間に存在している平板部でポップ用紙６の背面側６ｂを支持する。そこで、発泡スチロールや大判のポップはもちろん、コピー用紙、等の薄い用紙からなるポップ用紙６であっても安定的に固定、支持して当該ポップ用紙６を掲出することが可能である。
【００４５】
従来のポップホルダー、ポップスタンドのように、先端箇所にあるクリップや溝などでポップ用紙を固定する場合、クリップや溝などが露出してしまうが、本考案のマルチポップホルダー１では、平板２に形成されている孔４を利用して上述したようにポップ用紙６の背面側６ｂを固定、支持することができる。
【００４６】
このため、店舗などにおけるお客様には、マルチポップホルダー１を形成している平板２が目に入らず、あたかも、ポップ用紙６のみが空間に浮いているかのように視認される。そこで、ポップのイメージを大幅に向上させることも可能になる。
【００４７】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００４８】
１  マルチポップホルダー
２  平板
２ａ  平板の長手方向の一方の側における長手方向端縁
２ｂ  平板の長手方向の他方の側における長手方向端縁
２ｃ  平板の一方側の面
２ｄ  平板の他方側の面
３ａ、３ｂ、３ｃ、３ｄ、３ｅ、３ｆ、３ｇ  折曲線部
４ａ、４ｂ、４ｃ、４ｄ、４ｆ  孔
５  粘着テープ
６    ポップ用紙
６ａ  ポップ用紙の表面側
６ｂ  ポップ用紙の背面側
７  店舗に陳列される書籍
【図１】
0003202585.tif 000003
【図２】
0003202585.tif 000004
【図３】
0003202585.tif 000005
【図４】
0003202585.tif 000006
【図５】
0003202585.tif 000007
【図６】
0003202585.tif 000008
【図７】
0003202585.tif 000009
【図８】
0003202585.tif 000010
【図９】
0003202585.tif 000011
【図１０】
0003202585.tif 000012
【図１１】
0003202585.tif 000013